(57)【特許請求の範囲】
【請求項１】
複数のサブキャリアの束であるサブキャリアブロック毎の受信品質を測定する受信品質測定手段と、
前記受信品質測定手段にて測定された受信品質の情報である受信品質情報を前記サブキャリアブロック毎に生成する受信品質情報生成手段と、
前記受信品質情報生成手段にて生成された前記受信品質情報を通信相手に送信する送信手段と、
前記送信手段にて送信した前記受信品質情報と前記通信相手にて前記受信品質情報を用いてスケジューリングされた結果とに基づいて前記送信手段にて前記受信品質情報を送信する前記サブキャリアブロック数を制御する制御手段と、
を具備する通信端末装置。
【請求項２】
前記制御手段は、前記送信手段にて前記通信相手に前記受信品質情報を送信した前記サブキャリアブロック数と前記スケジューリングされた結果として実際に前記通信相手にて割り当てられた前記サブキャリアブロック数とを比較して前記サブキャリアブロック数を制御する請求項１記載の通信端末装置。
【請求項３】
前記制御手段は、前記送信手段にて前記通信相手に前記受信品質情報を送信した前記サブキャリアブロック数に対する実際に前記通信相手にて割り当てられた前記サブキャリアブロック数の割り合いである割り当て率がしきい値未満の場合に、前記割り当て率がしきい値以上の場合に比べて前記受信品質情報を送信する前記サブキャリアブロック数を多くする請求項１記載の通信端末装置。
【請求項４】
前記制御手段は、前記送信手段にて前記通信相手に送信した前記受信品質情報にて要求した伝送レートと前記スケジューリングされた結果として実際に前記通信相手にて割り当てられた伝送レートとを比較して前記サブキャリアブロック数を制御する請求項１記載の通信端末装置。
【請求項５】
前記通信相手と通信している通信端末装置の数が所定の数以上の場合に前記受信品質情報の送信の停止または再開を指示するＯＮ／ＯＦＦ制御情報を受信する受信手段を具備し、
前記制御手段は、前記受信手段にて受信した前記ＯＮ／ＯＦＦ制御情報の指示により前記受信品質情報の送信を停止または再開する請求項１記載の通信端末装置。
【請求項６】
請求項１記載の通信端末装置と通信する前記通信相手である基地局装置であって、
前記基地局装置は、
複数の前記通信端末装置の前記受信品質情報を受信する受信手段と、
前記受信品質情報の受信品質が所定の品質を満たす前記通信端末装置に対して所定のリソース内にて前記サブキャリアブロック毎にリソースを割り当てる処理である前記スケジューリングを行うスケジューリング手段と、
前記スケジューリング手段にてスケジューリングした結果を前記通信端末装置に通知する通知手段と、
を具備する。
【請求項７】
複数のサブキャリアの束であるサブキャリアブロック毎の受信品質の情報である受信品質情報を受信する受信手段と、
前記受信手段にて受信した前記受信品質情報の受信品質が所定の品質を満たす通信端末装置に対して前記サブキャリアブロック毎にリソースを割り当てる処理であるスケジューリングを行うスケジューリング手段と、
前記受信品質情報と前記スケジューリング手段におけるスケジューリングの結果とに基づいて前記通信端末装置が前記受信品質情報を送信する前記サブキャリアブロック数を制御する制御手段と、
前記制御手段にて制御された前記サブキャリアブロック数の情報である報告サブキャリアブロック数情報を前記通信端末装置に送信する送信手段と、
を具備する基地局装置。
【請求項８】
前記制御手段は、前記受信手段にて受信した前記受信品質情報の前記サブキャリアブロック数と前記スケジューリング手段にて実際に割り当てられた前記サブキャリアブロック数とを比較して前記サブキャリアブロック数を制御する請求項７記載の基地局装置。
【請求項９】
前記制御手段は、前記受信手段にて受信した前記受信品質情報の前記サブキャリアブロック数に対する前記スケジューリング手段にて実際に割り当てられた前記サブキャリアブロック数の割り合いである割り当て率がしきい値未満の場合に、前記割り当て率がしきい値以上の場合に比べて前記受信品質情報を送信する前記サブキャリアブロック数を多くする請求項７記載の基地局装置。
【請求項１０】
前記制御手段は、前記受信手段にて受信した前記受信品質情報にて要求された伝送レートと前記スケジューリング手段にて実際に割り当てられた伝送レートとを比較して前記サブキャリアブロック数を制御する請求項７記載の基地局装置。
【請求項１１】
所定時間内に受信した前記受信品質情報の数を前記サブキャリアブロック毎に測定する衝突測定手段を具備し、
前記制御手段は、前記衝突測定手段にて測定された前記受信品質情報の数に基づいて前記サブキャリアブロック数を制御する請求項７記載の基地局装置。
【請求項１２】
前記制御手段は、同一の前記サブキャリアブロックについて前記衝突測定手段にて測定された前記受信品質情報の数がしきい値以上の場合に、前記しきい値以上の前記受信品質情報を送信した通信端末装置における前記受信品質情報を送信する前記サブキャリアブロックの数を多くする請求項１１記載の基地局装置。
【請求項１３】
請求項７記載の基地局装置と通信する通信端末装置であって、
前記通信端末装置は、
前記報告サブキャリアブロック数情報を受信する受信手段と、
前記サブキャリアブロック毎に受信品質を測定する受信品質測定手段と、
前記受信品質測定手段にて測定された受信品質の情報である前記受信品質情報を前記サブキャリアブロック毎に生成する受信品質情報生成手段と、
前記受信品質情報生成手段にて生成された前記受信品質情報の内の前記報告サブキャリアブロック数情報のサブキャリアブロック数分を前記基地局装置に報告する報告手段と、
を具備する。
【請求項１４】
前記報告手段は、前記報告サブキャリアブロック数情報の前記サブキャリアブロック数よりも多い数の前記サブキャリアブロックの前記受信品質情報を報告する請求項１３記載の通信端末装置。
【請求項１５】
前記受信品質情報生成手段にて生成された前記受信品質情報を受信品質が良好なものから順番に並べるソート手段を具備し、
前記報告手段は、前記ソート手段にて並べられた前記受信品質情報の受信品質が良好なものから順番に報告する請求項１３記載の通信端末装置。
【請求項１６】
複数のサブキャリアの束であるサブキャリアブロック毎の受信品質を測定するステップと、
測定された前記受信品質の情報である受信品質情報を前記サブキャリアブロック毎に生成するステップと、
生成された前記受信品質情報を通信端末装置から基地局装置に送信するステップと、
基地局装置が複数の通信端末装置の前記受信品質情報を受信するステップと、
前記受信品質情報の受信品質が所定の品質を満たす通信端末装置に対して所定のリソース内にて前記サブキャリアブロック毎にリソースを割り当てる処理であるスケジューリングを行うステップと、
前記スケジューリングした結果を基地局装置が通信端末装置に通知するステップと、
通信端末装置が基地局装置に送信した前記受信品質情報と基地局装置から通知された前記スケジューリングした結果とに基づいて前記受信品質情報を送信する前記サブキャリアブロック数を通信端末装置が制御するステップと、
を具備する受信品質報告方法。
【発明の詳細な説明】
【技術分野】
【０００１】
本発明は、通信端末装置、基地局装置及び受信品質報告方法に関し、特にマルチキャリア伝送方式において上り回線にて受信品質を報告する通信端末装置、基地局装置及び受信品質報告方法に関する。
【背景技術】
【０００２】
ＯＦＤＭ(Orthogonal Frequency Division Multiplex:直交周波数分割多重)伝送においては、図１に示すように、周波数選択性フェージングの影響によって各サブキャリアブロック（ＳＣＢ１〜ＳＣＢ８）の通信品質が異なる場合がある。更に、下りＯＦＤＭ伝送においては、通信端末装置（ＵＥ）毎に伝搬路状況が異なるので、各通信端末装置から受信品質を基地局装置（Ｎｏｄｅ  Ｂ）に報告させ、基地局装置は、通信端末装置毎に受信品質の良好なサブキャリアのみを選択して送信データを割り当てることが可能である。この方法を周波数スケジューリングと呼ぶ。一般に、周波数スケジューリングを行う為には、Ｎｏｄｅ  Ｂから送信された既知のパイロット信号に対して各通信端末装置が受信品質を測定し、測定結果に基づく受信品質情報（ＣＱＩ）を基地局装置に報告する必要がある。しかしながら、ＯＦＤＭ信号を構成するサブキャリア数が多い場合、全てのサブキャリアについて受信品質の報告を行うと報告量が膨大になり、上り無線資源を浪費するという課題がある。
【０００３】
上記の課題に対して、様々な報告量削減方式が考案されている。例えば、通信端末装置は、品質の悪いサブキャリアの受信品質を報告せずに、品質の良いサブキャリアの受信品質だけを報告する方法が知られている（例えば、特許文献１）。
【特許文献１】特開２００１−３５１９７１号公報
【発明の開示】
【発明が解決しようとする課題】
【０００４】
しかしながら、従来の装置においては、受信品質を報告するサブキャリアは各通信端末装置が独立に判断するため、複数の通信端末装置から同じ時刻に同じサブキャリアの受信品質が報告される場合がある。この場合には、基地局装置は、１つのサブキャリアに対して複数の通信端末装置を割り当てることができないため、受信品質の報告の無駄が生じるとともに上り回線の干渉が増加するという問題がある。また、全く受信品質が報告されないサブキャリアが存在する場合がある。この場合には、受信品質に基づいた送信割り当てができないため、スケジューリングによる最適割り当てができないとともにリソースを損失してしまうという問題がある。さらに、各通信端末装置が受信品質を報告するための基準値の設定が困難であるという問題がある。例えば、基地局装置に近い通信端末装置は、一般的に受信品質は良好であるため、全てのサブキャリアについて受信品質の報告を行い、基地局装置から遠い通信端末装置は、一般的に受信品質は劣化するため、全く受信品質を報告しない場合が生じる。この場合には、スケジューリングによる送信割り当てが公平に行えないという問題がある。
【０００５】
本発明の目的は、受信品質の報告の無駄が生じることがなく、上り回線の干渉を抑制することができ、スケジューリングによる最適割り当てが可能であり、リソースの損失を防ぐことができるとともに、スケジューリングによる送信割り当ての公平性を保つことができる通信端末装置、基地局装置及び受信品質報告方法を提供することである。
【課題を解決するための手段】
【０００６】
本発明の通信端末装置は、複数のサブキャリアの束であるサブキャリアブロック毎の受
信品質を測定する受信品質測定手段と、前記受信品質測定手段にて測定された受信品質の情報である受信品質情報を前記サブキャリアブロック毎に生成する受信品質情報生成手段と、前記受信品質情報生成手段にて生成された前記受信品質情報を通信相手に送信する送信手段と、前記送信手段にて送信した前記受信品質情報と前記通信相手にて前記受信品質情報を用いてスケジューリングされた結果とに基づいて前記送信手段にて前記受信品質情報を送信する前記サブキャリアブロック数を制御する制御手段と、を具備する構成を採る。
【０００７】
本発明の基地局装置は、複数のサブキャリアの束であるサブキャリアブロック毎の受信品質の情報である受信品質情報を受信する受信手段と、前記受信手段にて受信した前記受信品質情報が所定の品質を満たす通信端末装置に対して前記サブキャリアブロック毎にリソースを割り当てる処理であるスケジューリングを行うスケジューリング手段と、前記受信品質情報と前記スケジューリング手段におけるスケジューリングの結果とに基づいて前記通信端末装置が前記受信品質情報を送信する前記サブキャリアブロック数を制御する制御手段と、前記制御手段にて制御された前記サブキャリアブロック数の情報である報告サブキャリアブロック数情報を前記通信端末装置に送信する送信手段と、を具備する構成を採る。
【０００８】
本発明の受信品質報告方法は、複数のサブキャリアの束であるサブキャリアブロック毎の受信品質を測定するステップと、測定された前記受信品質の情報である受信品質情報を前記サブキャリアブロック毎に生成するステップと、生成された前記受信品質情報を通信端末装置から基地局装置に送信するステップと、基地局装置が複数の通信端末装置の前記受信品質情報を受信するステップと、前記受信品質情報の受信品質が所定の品質を満たす通信端末装置に対して所定のリソース内にて前記サブキャリアブロック毎にリソースを割り当てる処理であるスケジューリングを行うステップと、前記スケジューリングした結果を基地局装置が通信端末装置に通知するステップと、通信端末装置が基地局装置に送信した前記受信品質情報と基地局装置から通知された前記スケジューリングした結果とに基づいて前記受信品質情報を送信する前記サブキャリアブロック数を通信端末装置が制御するステップと、を具備するようにした。
【発明の効果】
【０００９】
本発明によれば、受信品質の報告の無駄が生じることがなく、上り回線の干渉を抑制することができ、スケジューリングによる最適割り当てが可能であり、リソースの損失を防ぐことができるとともに、スケジューリングによる送信割り当ての公平性を保つことができる。
【発明を実施するための最良の形態】
【００１０】
以下、本発明の実施の形態について、図面を参照して詳細に説明する。
【００１１】
（実施の形態１）
図２は、本発明の実施の形態１に係る通信端末装置１００の構成を示すブロック図である。
【００１２】
アンテナ１０１は、ＯＦＤＭ信号を受信してＲＦ受信部１０２へ出力するとともに、ＲＦ送信部１１９から入力した送信信号を送信する。
【００１３】
ＲＦ受信部１０２は、アンテナ１０１から入力した受信信号を無線周波数からベースバンド周波数にダウンコンバートしてガードインターバル（以下「ＧＩ」と記載する）除去部１０３へ出力する。
【００１４】
ＧＩ除去部１０３は、ＲＦ受信部１０２から入力した受信信号からＧＩを除去して高速フーリエ変換（以下「ＦＦＴ」と記載する）部１０４へ出力する。
【００１５】
ＦＦＴ部１０４は、ＧＩ除去部１０３から入力した受信信号をＦＦＴして復調部１０５とスケジューリング情報抽出部１０７と衝突情報抽出部１０９と受信品質測定部１１０へ出力する。
【００１６】
復調部１０５は、ＦＦＴ部１０４から入力した受信信号を復調して誤り訂正復号部１０６へ出力する。
【００１７】
誤り訂正復号部１０６は、復調部１０５から入力した受信信号に対して誤り訂正復号して受信信号として出力する。
【００１８】
スケジューリング情報抽出部１０７は、ＦＦＴ部１０４から入力した受信信号に含まれているスケジューリング情報を抽出して選択部１０８及び制御部１１３へ出力する。ここで、サブキャリアブロックとは、周波数軸上で連続するまたは不連続な複数のサブキャリアを束ねたもの、または時間軸と周波数軸の二次元において所定のサイズの複数のサブキャリアと複数の送信時間間隔（以下「ＴＴＩ」と記載する）を束ねたものである。また、スケジューリング情報とは、基地局装置で行う受信品質情報に基づいて各通信端末装置にサブキャリアブロック毎にリソースを割り当てる処理であるスケジューリングの結果の情報である。割り当てるリソースは、例えば、サブキャリアブロック数、変調方式、符号化率、伝送レート及び送信電力である。
【００１９】
選択部１０８は、スケジューリング情報抽出部１０７から入力したスケジューリング情報に含まれるＭＣＳを抽出して、抽出したＭＣＳに基づいて誤り訂正符号化部１１５と変調部１１６とＩＦＦＴ部１１７における信号処理を制御する。具体的には、選択部１０８は、ＭＣＳと符号化率及び変調方式とを関係付けたリソース割り当て情報を記憶しており、スケジューリング情報に含まれるＭＣＳを用いて、リソース割り当て情報を参照することにより符号化率及び変調方式を選択する。そして、選択部１０８は、ＭＣＳにて指示された符号化率にて送信信号を符号化するように誤り訂正符号化部１１５を制御する。また、選択部１０８は、ＭＣＳにて指示された変調方式にて送信信号を変調するように変調部１１６を制御する。また、選択部１０８は、スケジューリング情報にて指示されたサブキャリアブロックに送信信号を割り当てるように逆高速フーリエ変換（以下「ＩＦＦＴ」と記載する）部１１７を制御する。
【００２０】
衝突情報抽出部１０９は、ＦＦＴ部１０４から入力した受信信号に含まれている衝突情報を抽出して制御部１１３へ出力する。ここで、衝突情報とは、同一時刻に同一のサブキャリアブロックについてＣＱＩを報告した通信端末装置の数の情報である。
【００２１】
受信品質測定部１１０は、ＦＦＴ部１０４から入力した受信信号に含まれているパイロット信号を用いて受信品質を測定する。この際、受信品質測定部１１０は、サブキャリアブロック毎に受信品質を測定する。そして、受信品質測定部１１０は、測定した受信品質の測定結果をＣＱＩ生成部１１１へ出力する。
【００２２】
受信品質情報生成手段であるＣＱＩ生成部１１１は、受信品質測定部１１０から入力した測定結果に基づいて、測定結果を示す情報であるＣＱＩ（受信品質情報）を生成してソート部１１２及び制御部１１３へ出力する。この際、ＣＱＩ生成部１１１は、サブキャリアブロック毎にＣＱＩを生成する。
【００２３】
ソート部１１２は、ＣＱＩ生成部１１１から入力したＣＱＩを受信品質が良好なものから順番に並べるか、または受信品質が劣化しているものから順番に並べる。そして、ソート部１１２は、並べたＣＱＩを受信品質が良好な方から順番に、制御部１１３から指示された数だけ多重部１１４へ出力する。
【００２４】
制御部１１３は、ＣＱＩ生成部１１１から入力したＣＱＩを送信したサブキャリアブロックの数の情報と、衝突情報抽出部１０９から入力した衝突情報と、スケジューリング情報抽出部１０７から入力したスケジューリング情報とに基づいて、ソート部１１２に対してＣＱＩを出力するサブキャリアブロック数を指示する。なお、制御部１１３の動作の詳細については、後述する。
【００２５】
多重部１１４は、送信信号とソート部１１２から入力したＣＱＩとを多重して多重信号を生成し、生成した多重信号を誤り訂正符号化部１１５へ出力する。
【００２６】
誤り訂正符号化部１１５は、多重部１１４から入力した多重信号に対して、選択部１０８にて制御された符号化率にて誤り訂正符号化する。そして、誤り訂正符号化部１１５は、誤り訂正符号化した多重信号を変調部１１６へ出力する。
【００２７】
変調部１１６は、誤り訂正符号化部１１５から入力した多重信号を、選択部１０８にて制御された変調方式にて変調して逆高速フーリエ変換（以下「ＩＦＦＴ」と記載する）部１１７へ出力する。
【００２８】
ＩＦＦＴ部１１７は、変調部１１６から入力した多重信号をＩＦＦＴして、送信信号を
各サブキャリアブロックに配置することによりＯＦＤＭ信号を生成する。この際、ＩＦＦＴ部１１７は、選択部１０８にて制御されたサブキャリアブロック、即ち基地局装置にてスケジューリングにより割り当てられたサブキャリアブロックに送信信号を配置する。そして、ＩＦＦＴ部１１７は、生成したＯＦＤＭ信号をＧＩ挿入部１１８へ出力する。
【００２９】
ＧＩ挿入部１１８は、ＩＦＦＴ部１１７から入力したＯＦＤＭ信号にＧＩを挿入してＲＦ送信部１１９へ出力する。
【００３０】
ＲＦ送信部１１９は、ＧＩ挿入部１１８から入力したＯＦＤＭ信号をベースバンド周波数から無線周波数にアップコンバートしてアンテナ１０１へ出力する。
【００３１】
次に、基地局装置２００の構成について図３を用いて説明する。図３は、基地局装置２００の構成を示すブロック図である。
【００３２】
アンテナ２０１は、ＯＦＤＭ信号を受信してＲＦ受信部２０２へ出力するとともに、ＲＦ送信部２１７から入力したＯＦＤＭ信号を送信する。
【００３３】
ＲＦ受信部２０２は、アンテナ２０１から入力した受信信号を無線周波数からベースバンド周波数にダウンコンバートしてＧＩ除去部２０３へ出力する。
【００３４】
ＧＩ除去部２０３は、ＲＦ受信部２０２から入力した受信信号からＧＩを除去してＦＦＴ部２０４へ出力する。
【００３５】
ＦＦＴ部２０４は、ＧＩ除去部２０３から入力した受信信号をＦＦＴして復調部２０５へ出力する。
【００３６】
復調部２０５は、ＦＦＴ部２０４から入力した受信信号を復調して誤り訂正復号部２０６へ出力する。
【００３７】
誤り訂正復号部２０６は、復調部２０５から入力した受信信号に対して誤り訂正復号してＣＱＩ抽出部２０７へ出力するとともに、受信信号として出力する。
【００３８】
ＣＱＩ抽出部２０７は、誤り訂正復号部２０６から入力した受信信号からＣＱＩを抽出して、抽出したＣＱＩを衝突測定部２０８及びスケジューリング部２１０へ出力する。
【００３９】
衝突測定部２０８は、ＣＱＩ抽出部２０７から入力したＣＱＩに基づいて衝突を測定する。具体的には、衝突測定部２０８は、各サブキャリアブロックについて、衝突の回数を測定する。そして、衝突測定部２０８は、衝突の回数の測定結果を衝突情報生成部２０９へ出力する。ここで、衝突とは、同一時刻に同一のサブキャリアブロックについて複数の通信端末装置からＣＱＩが送信されることである。
【００４０】
衝突情報生成部２０９は、衝突測定部２０８から入力した測定結果に基づいて、測定結果を示す情報である衝突情報を生成して多重部２１２へ出力する。
【００４１】
スケジューリング部２１０は、ＣＱＩ抽出部２０７から入力したＣＱＩに基づいてスケジューリングを行う。例えば、スケジューリング部２１０は、各サブキャリアブロックについて最も受信品質が良好なＣＱＩを送信してきた通信端末装置を割り当てるとともに、送信してきたＣＱＩに応じた符号化率及び変調方式の組み合わせのＭＣＳを選択する。そして、スケジューリング部２１０は、各通信端末装置に割り当てたサブキャリアブロックの情報及びＭＣＳをスケジューリング情報生成部２１１へ出力する。
【００４２】
スケジューリング情報生成部２１１は、スケジューリング部２１０から入力した、各通信端末装置に割り当てたサブキャリアブロックの情報及びＭＣＳを含むスケジューリング情報を生成して多重部２１２へ出力する。
【００４３】
多重部２１２は、送信信号とパイロット信号と衝突情報生成部２０９から入力した衝突情報とスケジューリング情報生成部２１１から入力したスケジューリング情報とを多重して多重信号を生成し、生成した多重信号を誤り訂正符号化部２１３へ出力する。
【００４４】
誤り訂正符号化部２１３は、多重部２１２から入力した多重信号に対して誤り訂正符号化して変調部２１４へ出力する。
【００４５】
変調部２１４は、誤り訂正符号化部２１３から入力した多重信号を変調してＩＦＦＴ部２１５へ出力する。
【００４６】
ＩＦＦＴ部２１５は、変調部２１４から入力した多重信号をＩＦＦＴしてＯＦＤＭ信号を生成し、生成したＯＦＤＭ信号をＧＩ挿入部２１６へ出力する。
【００４７】
ＧＩ挿入部２１６は、ＩＦＦＴ部２１５から入力したＯＦＤＭ信号にＧＩを挿入してＲＦ送信部２１７へ出力する。
【００４８】
ＲＦ送信部２１７は、ＧＩ挿入部２１６から入力したＯＦＤＭ信号をベースバンド周波数から無線周波数にアップコンバートしてアンテナ２０１へ出力する。
【００４９】
次に、通信端末装置１００及び基地局装置２００の動作について説明する。
【００５０】
最初に、基地局装置２００は、自セル内にて通信している通信端末装置１００の数、各通信端末装置１００が要求しているＱｏＳ、各通信端末装置１００が要求している伝送レート、各通信端末装置１００が要求している送信データのデータサイズ及び各通信端末装置１００と基地局装置２００との距離等に基づいて、ＣＱＩを送信するサブキャリアブロックの数を決定する。通信端末装置１００は、基地局装置２００に対して、シグナリング信号を送信することにより、ＱｏＳ、伝送レート、データサイズを要求するとともにＣＱＩを送信する。図４は、通信端末装置１００が基地局装置２００に送信するシグナリング信号３００のフォーマットを示す図である。シグナリング信号３００は、通信端末装置１００が要求するＱｏＳの情報である要求ＱｏＳ＃３０１、通信端末装置１００が要求する伝送レートの情報である要求伝送レート＃３０２、通信端末装置１００が要求するデータサイズの情報である要求データサイズ＃３０３及びＣＱＩ＃３０４から構成される。
【００５１】
シグナリング信号３００を受信した基地局装置２００は、通信端末装置１００の要求に基づいて通信端末装置１００の伝送レートを決定して、さらに決定した伝送レートを達成できる通信端末装置１００に割り当てるサブキャリアブロックの数を決定する。図５は、基地局装置２００から通信端末装置１００に送信されるＣＱＩ報告制御情報４００のフォーマットを示す図である。図５において、サブキャリアブロック数＃４０１は、報告するサブキャリアブロックの数を規定するものであり、報告周期＃４０２は、ＣＱＩを送信する周期を規定するものである。また、報告タイミングオフセット＃４０３は、報告周期の中での報告のタイミングオフセットを規定するものであり、通信端末装置１００間で報告タイミングを異ならせることにより、通信端末装置１００間の報告衝突を下げることができるとともに、上り干渉を平坦化することができる。また、周波数範囲＃４０４は、通信端末装置１００の報告すべきサブキャリアブロックの周波数範囲を規定するものであり、通信端末装置１００間で報告するサブキャリアブロックの周波数範囲を異ならせることに
より、通信端末装置１００間で報告衝突を下げることができる。また、報告サブキャリアブロックを変える指示＃４０５は、通信端末装置１００に報告するサブキャリアブロックの番号の変更を指示するものであり、特定のサブキャリアブロックの番号における衝突が高い時に、報告するサブキャリアブロックを分散させる効果がある。
【００５２】
図６は、基地局装置２００と通信端末装置１００との間の信号の送受信を示す図であり、図７は、通信端末装置１００及び基地局装置２００の動作を示す図である。なお、図７において、横軸は時間を示すものであり、通信端末装置１００−１及び通信端末装置１００−２は、図２の通信端末装置１００と同一構成を有する。また、図７では、２つの通信端末装置１００が基地局装置２００と通信する場合について記載しているが、通信端末装置１００の数は任意の数にすることができる。
【００５３】
通信端末装置１００は、上り回線にて図４のシグナリング信号３００を送信し（ステップＳＴ５０１）、基地局装置２００は、下り回線にて図５のＣＱＩ報告制御情報４００を送信する（ステップＳＴ５０２）。ここまでが、サブキャリアブロック数を制御する前の初期報告の処理である。
【００５４】
次に、初期報告後のＣＱＩを送信するサブキャリアブロック数を制御する際の動作について説明する。最初に、衝突が生じない場合の動作について説明する。
【００５５】
初期報告の処理により、基地局装置２００は、サブキャリアブロック数＃４０１にて、通信端末装置１００に対して最低１つのサブキャリアブロックのＣＱＩを送信するように指示する。なお、基地局装置２００は、サブキャリアブロック数＃４０１にて指示するＣＱＩの数は、１つに限らず、任意の数にすることができる。
【００５６】
各通信端末装置１００−１、１００−２は、受信品質測定部１１０にて、各サブキャリアブロックの受信品質を測定し、ＣＱＩ生成部１１１にて、ＣＱＩを生成する。そして、通信端末装置１００は、生成したＣＱＩの内、例えば最も受信品質が良好なサブキャリアブロックのＣＱＩを１つ基地局装置２００へ送信する（ステップＳＴ６０１、ステップＳＴ６０２）。図８は、通信端末装置１００−１、１００−２から送信されるＣＱＩ７００のフォーマットを示す図である。ＣＱＩ７００は、報告するサブキャリアブロックの番号＃７０１と報告するサブキャリアブロックの受信品質を示すＭＣＳ＃７０２とから構成されている。
【００５７】
次に、ＣＱＩを受信した基地局装置２００は、スケジューリング部２１０にて、ＣＱＩに基づいてスケジューリングを行う。スケジューリングの結果、通信端末装置１００−１、１００−２にはサブキャリアブロックの割り当てはされず、基地局装置２００は、各通信端末装置１００−１、１００−２に対してサブキャリアブロックが割り当てられていないことを示すスケジューリング情報を送信する（ステップＳＴ６０３、ステップＳＴ６０４）。
【００５８】
スケジューリング情報を受信した通信端末装置１００−１、１００−２は、スケジューリング情報抽出部１０７にて、スケジューリング情報を抽出する。そして、通信端末装置１００−１、１００−２は、制御部１１３にて、図９に示すような比較回路８００を用いて、報告したサブキャリアブロック数と割り当てられたサブキャリアブロック数とを比較する。比較の結果、通信端末装置１００−１、１００−２がＣＱＩを報告したサブキャリアブロック数は「１」であり、基地局装置２００にて割り当てられたサブキャリアブロック数は「０」であるので、制御部１１３は、比較回路８００から出力される比較結果に基づいて、報告するＣＱＩのサブキャリアブロック数を１つ増加する。通信端末装置１００−１、１００−２は、ソート部１１２より、ＣＱＩを２つ出力する。これにより、各通信
端末装置１００−１、１００−２は、ＣＱＩを２つ基地局装置２００へ送信する（ステップＳＴ６０５、ステップＳＴ６０６）。
【００５９】
次に、ＣＱＩを受信した基地局装置２００は、スケジューリング部２１０にて、ＣＱＩに基づいてスケジューリングを行う。スケジューリングの結果、通信端末装置１００−１、１００−２にはサブキャリアブロックの割り当てはされず、基地局装置２００は、各通信端末装置１００−１、１００−２に対してサブキャリアブロックが割り当てられていないことを示すスケジューリング情報を送信する（ステップＳＴ６０７、ステップＳＴ６０８）。
【００６０】
スケジューリング情報を受信した通信端末装置１００−１、１００−２は、スケジューリング情報抽出部１０７にて、スケジューリング情報を抽出する。そして、通信端末装置１００−１、１００−２は、制御部１１３にて、比較回路８００を用いて、報告したサブキャリアブロック数と割り当てられたサブキャリアブロック数とを比較する。比較の結果、通信端末装置１００−１、１００−２がＣＱＩを報告したサブキャリアブロック数は「２」であり、基地局装置２００にて割り当てられたサブキャリアブロック数は「０」であるので、制御部１１３は、比較回路８００から出力される比較結果に基づいて、報告するＣＱＩのサブキャリアブロック数をさらに１つ増加する。通信端末装置１００−１、１００−２は、ソート部１１２より、ＣＱＩを３つ出力する。これにより、各通信端末装置１００−１、１００−２は、ＣＱＩを３つ基地局装置２００へ送信する（ステップＳＴ６０９、ステップＳＴ６１０）。
【００６１】
次に、ＣＱＩを受信した基地局装置２００は、スケジューリング部２１０にて、ＣＱＩに基づいてスケジューリングを行う。スケジューリングの結果、通信端末装置１００−１、１００−２には各々１つのサブキャリアブロックが割り当てられ、基地局装置２００は、各通信端末装置１００−１、１００−２に対してサブキャリアブロックが１つ割り当てられたことを示すスケジューリング情報を送信する（ステップＳＴ６１１、ステップＳＴ６１２）。この際、基地局装置２００は、スケジューリング部２１０にてＣＱＩに基づいてＭＣＳを選択し、スケジューリング情報に選択したＭＣＳを含めて送信する。
【００６２】
スケジューリング情報を受信した通信端末装置１００−１、１００−２は、スケジューリング情報抽出部１０７にて、スケジューリング情報を抽出する。そして、通信端末装置１００−１、１００−２は、制御部１１３にて、比較回路８００を用いて、報告したサブキャリアブロック数と割り当てられたサブキャリアブロック数とを比較する。比較の結果、通信端末装置１００−１、１００−２がＣＱＩを報告したサブキャリアブロック数は「３」であり、基地局装置２００にて割り当てられたサブキャリアブロック数は「１」であるので、制御部１１３は、比較回路８００から出力される比較結果に基づいて、報告するＣＱＩのサブキャリアブロック数を１つ減らす。通信端末装置１００−１、１００−２は、ソート部１１２より、ＣＱＩを２つ出力する。これにより、各通信端末装置１００−１、１００−２は、ＣＱＩを２つ基地局装置２００へ送信する（ステップＳＴ６１３、ステップＳＴ６１４）。以後、通信端末装置１００−１、１００−２及び基地局装置２００は、同様の処理を繰り返すことにより、ＣＱＩを送信するサブキャリアブロック数を適応的に制御することができる。
【００６３】
比較回路８００における比較は、通信端末装置１００−１、１００−２がＣＱＩを報告したサブキャリアブロック数と基地局装置２００にて割り当てられたサブキャリアブロック数との比較に限らず、通信端末装置１００−１、１００−２がＣＱＩを報告したサブキャリアブロック数に対する実際に基地局装置２００にて割り当てられたサブキャリアブロック数の割り合いである割り当て率としきい値との比較でも良い。この場合、通信端末装置１００−１、１００−２は、割り当て率がしきい値未満であればＣＱＩを報告するサブ
キャリアブロック数を増やし、割り当て率がしきい値以上であればＣＱＩを報告するサブキャリアブロック数を減らす。なお、増やすサブキャリアブロック数及び減らすサブキャリアブロック数は１つに限らず、任意の数のサブキャリアブロックを増やしたり減らしたりすることができる。また、増減させるサブキャリアブロック数を変化させても良い。
【００６４】
次に、衝突が生じた場合における動作について、図７を用いて説明する。例えば、ステップＳＴ６０９及びステップＳＴ６１０で報告したＣＱＩが、１つのサブキャリアブロックについて重複する場合には、基地局装置２００は、衝突測定部２０８にて、衝突が生じたことを検出して、衝突情報生成部２０９にて、衝突回数「１」の衝突情報を生成する。そして、基地局装置２００は、通信端末装置１００−１、１００−２に対して、衝突情報を送信する（ステップＳＴ６１１、ステップＳＴ６１２）。
【００６５】
衝突情報を受信した通信端末装置１００−１、１００−２は、衝突情報抽出部１０９にて、衝突情報を抽出する。そして、通信端末装置１００−１、１００−２は、制御部１１３にて、報告するＣＱＩのサブキャリアブロック数を１つ増加する。通信端末装置１００−１、１００−２は、ソート部１１２より、ＣＱＩを４つ出力する。これにより、各通信端末装置１００−１、１００−２は、ＣＱＩを４つ基地局装置２００へ送信する（ステップＳＴ６０９、ステップＳＴ６１０）。この際に、通信端末装置１００−１、１００−２は、制御部１１３にて、衝突情報に加えて、比較回路８００における、報告したサブキャリアブロック数と割り当てられたサブキャリアブロック数との比較の結果をさらに考慮して、報告するＣＱＩのサブキャリアブロック数を制御する。
【００６６】
なお、通信端末装置１００−１、１００−２は、衝突情報及び比較回路８００における比較結果の両方を考慮する場合に限らず、衝突情報及び比較回路８００における比較結果の何れか一方のみを考慮するようにしても良い。例えば、比較回路８００における比較結果のみを考慮する場合、通信端末装置１００−１、１００−２は、過去の所定の時間における報告回数に対して実際に割り当てられたサブキャリアブロック数の割合である累積割り当て率または平均値としきい値とを比較する。比較した結果、累積割り当て率または平均値がしきい値より小さければＣＱＩを報告するサブキャリアブロック数を増やし、累積割り当て率または平均値がしきい値以上であればＣＱＩを報告するサブキャリアブロック数を減らす。これにより、基地局装置が衝突情報を送信する場合に比べて、下りリンクのシグナリングによるオーバヘッドを低減することができる。また、増やすサブキャリアブロック数及び減らすサブキャリアブロック数は１つに限らず、任意の数のサブキャリアブロックを増やしたり減らしたりすることができる。また、増減させるサブキャリアブロック数を変化させても良い。
【００６７】
図１０及び図１１は、所定の通信帯域内における複数のサブキャリアを束ねてサブキャリアブロックを構成する方法を示す図である。図１０の方法においては、所定の通信帯域（例えば２０ＭＨｚ）＃９０１内におけるサブキャリアを、端から順番に連続して所定の数だけ選択して束ねることによりＮ個（Ｎは２以上の自然数）のサブキャリアブロックＧ１〜ＧＮを構成する。図１１の方法においては、所定の通信帯域（例えば２０ＭＨｚ）＃１００１内におけるサブキャリアを、一定の間隔で不連続に所定の数だけ選択して束ねることによりＮ個のサブキャリアブロックＧ１〜ＧＮを構成する。
【００６８】
このように、本実施の形態１によれば、通信端末装置が報告したＣＱＩのサブキャリアブロック数と実際に割り当てられたサブキャリアブロック数との比較結果、または衝突情報に基づいて、通信端末装置が報告するＣＱＩのサブキャリアブロック数を制御することにより、受信品質の報告の無駄が生じることがなく、上り回線の干渉を抑制することができ、スケジューリングによる最適割り当てが可能であり、リソースの損失を防ぐことができるとともに、スケジューリングによる送信割り当ての公平性を保つことができる。
【００６９】
なお、本実施の形態１において、通信端末装置１００は、ＣＱＩにＭＣＳを含めて受信品質を報告するようにしたが、これに限らず、ＣＱＩにＳＩＮＲを含めて受信品質を報告するようにしても良い。図１２は、ＣＱＩにＳＩＮＲを含めて受信品質を報告する際のＣＱＩ１１００のフォーマットを示す図である。ＣＱＩ１１００は、報告するサブキャリアブロックの番号＃１１０１と受信品質測定部１１０にて測定したＳＩＮＲ＃１１０２とから構成される。
【００７０】
（実施の形態２）
図１３は、本発明の実施の形態２に係る比較回路１２００の構成を示すブロック図である。なお、本実施の形態２においては、通信端末装置の構成は図２と同一であり、基地局装置の構成は図３と同一であるので、その説明は省略する。
【００７１】
通信端末装置１００−１、１００−２は、制御部１１３にて、図１３の比較回路１２００を用いて、報告したＣＱＩによる希望伝送レートと実際に基地局装置２００にて割り当てられた伝送レートとを比較する。なお、通信端末装置１００−１、１００−２は、スケジューリング情報を受信することにより、割り当てられた伝送レートを知ることができる。また、伝送レートは、例えばビットレートを用いる。
【００７２】
制御部１１３は、比較の結果、基地局装置２００にて割り当てられた伝送レートが、通信端末装置１００−１、１００−２が希望した希望伝送レート未満である場合には、報告するＣＱＩのサブキャリアブロック数を増やし、基地局装置２００にて割り当てられた伝送レートが、通信端末装置１００−１、１００−２が希望した希望伝送レートと同一である場合には、報告するＣＱＩのサブキャリアブロック数を減らすようにする。なお、通信端末装置及び基地局装置の動作は、報告したＣＱＩのサブキャリアブロック数と実際に割り当てられたサブキャリアブロック数とを比較する構成を、報告したＣＱＩによる希望伝送レートと割り当てられた伝送レートとを比較する構成に代わる以外は上記実施の形態１と同一であるので、その説明は省略する。
【００７３】
このように、本実施の形態２によれば、通信端末装置が報告したＣＱＩによる希望伝送レートと実際に割り当てられた伝送レートとの比較結果、または衝突情報に基づいて、通信端末装置が報告するＣＱＩのサブキャリアブロック数を制御することにより、受信品質の報告の無駄が生じることがなく、上り回線の干渉を抑制することができ、スケジューリングによる最適割り当てが可能であり、リソースの損失を防ぐことができるとともに、スケジューリングによる送信割り当ての公平性を保つことができる。
【００７４】
なお、本実施の形態２において、希望伝送レートと実際に割り当てられた伝送レートとの比較結果に基づいてサブキャリアブロック数を制御するようにしたが、これに限らず、希望伝送レートに対する実際に割り当てられた伝送レートの比としきい値との比較結果に基づいてサブキャリアブロック数を制御するようにしても良い。この場合、希望伝送レートに対する実際に割り当てられた伝送レートの比がしきい値未満であればＣＱＩを送信するサブキャリアブロック数を増やし、希望伝送レートに対する実際に割り当てられた伝送レートの比がしきい値以上であればＣＱＩを送信するサブキャリアブロック数を減らす。
【００７５】
（実施の形態３）
図１４は、本発明の実施の形態３に係る通信端末装置で測定した瞬時割り当て率及び累積割り当て率を示す図である。なお、本実施の形態３においては、通信端末装置の構成は図２と同一であり、基地局装置の構成は図３と同一であるので、その説明は省略する。また、図１４において、ＳＣＢは、サブキャリアブロックである。
【００７６】
図１４より、報告回数または報告時刻番号（Ａ）は、通信端末装置が基地局装置にＣＱＩを報告する回数または報告する時刻の番号であり、例えば１ＴＴＩ周期で報告する。また、基地局装置（Ｎｏｄｅ  Ｂ）から指示された報告サブキャリアブロック数（Ｂ）は、基地局装置が通信端末装置に対して指示する、ＣＱＩを報告するサブキャリアブロック数であり、図１４の場合には、全て「１」になっている。（Ｂ）は、図５のＣＱＩ報告制御情報４００のサブキャリアブロック数＃４０１にて指示される。また、報告したサブキャリアブロック（ＳＣＢ）数（Ｃ）は、通信端末装置が基地局装置にＣＱＩを送信したサブキャリアブロック数である。また、実際に割り当てられたサブキャリアブロック（ＳＣＢ）数（Ｄ）は、基地局装置にてスケジューリングにより実際に割り当てられたサブキャリアブロック数である。また、瞬時割り当て率（Ｅ）は、（Ｄ）／（Ｂ）により求めたものである。また、累積割り当て率（Ｆ）は、（（Ｄ）の合計）／（Ａ）により求めたものである。
【００７７】
通信端末装置１００の制御部１１３は、（Ｅ）または（Ｆ）としきい値とを比較して、（Ｅ）または（Ｆ）がしきい値未満であれば報告するＣＱＩのサブキャリアブロック数を増やすように指示し、（Ｅ）または（Ｆ）がしきい値以上であれば報告するＣＱＩのサブキャリアブロック数を減らすように指示する。
【００７８】
このように、本実施の形態３によれば、瞬時割り当て率または累積割り当て率、または衝突情報に基づいて、通信端末装置が報告するＣＱＩのサブキャリアブロック数を制御することにより、受信品質の報告の無駄が生じることがなく、上り回線の干渉を抑制することができ、スケジューリングによる最適割り当てが可能であり、リソースの損失を防ぐことができるとともに、スケジューリングによる送信割り当ての公平性を保つことができる。
【００７９】
（実施の形態４）
図１５は、本発明の実施の形態４に係る各通信端末装置がＣＱＩを報告するサブキャリアブロックを示す図である。なお、本実施の形態４においては、通信端末装置の構成は図２と同一であり、基地局装置の構成は図３と同一であるので、その説明は省略する。
【００８０】
図１５は、例えば８つの通信端末装置が１つの基地局装置と通信する場合を示すものであり、サブキャリアブロック数は、例えば全部で８つである。なお、図１５において、ＳＣＢはサブキャリアブロックであり、ＵＥ１〜ＵＥ８は各々通信端末装置である。また、図１５において、説明の便宜上、各通信端末装置は２つのサブキャリアブロックについてＣＱＩを報告する場合を示すが、各通信端末装置が個々に３つ以上の任意の数のサブキャリアブロックについてＣＱＩを報告する場合にも適用することができる。
【００８１】
各通信端末装置１００の制御部１１３が、ＣＱＩを送信したサブキャリアブロック数及び実際に割り当てられたサブキャリアブロック数に基づいて、１つのサブキャリアブロックのＣＱＩを出力すると判断した場合、ソート部１１２に対して、実際にはＣＱＩを送信するサブキャリアブロック数を１つ増やして２つのサブキャリアブロック（ＮＯ．１及びＮＯ．２）についてＣＱＩを出力するように指示する。この結果、各通信端末装置１００は、２つのサブキャリアブロックのＣＱＩを送信する。例えば、ＵＥ１が、１つのＣＱＩを送信する場合には、サブキャリアブロック１において、ＵＥ６と衝突しているので、基地局装置がサブキャリアブロック１をＵＥ６に割り当てた場合には、ＵＥ１は全くサブキャリアブロックを割り当てられないことになる。しかし、本実施の形態４においては、ＵＥ１は、サブキャリアブロック２についてもＣＱＩを報告しているため、サブキャリアブロック２についてはＵＥ１に割り当てられる可能性がある。
【００８２】
図１６は、各通信端末装置ＵＥ１〜ＵＥ８から送信されるＣＱＩ１５００のフォーマッ
トを示す図である。ＣＱＩ１５００は、報告するサブキャリアブロックの番号＃１５０１と報告するサブキャリアブロックの受信品質を示すＭＣＳ＃１５０２とから構成されている。
【００８３】
このように、本実施の形態４によれば、上記実施の形態１の効果に加えて、ＣＱＩを報告するサブキャリアブロック数に冗長性を持たせることにより、割り当てられる確率を高くすることができる。
【００８４】
なお、本実施の形態４は、上記実施の形態２または実施の形態３に適用することができる。
【００８５】
（実施の形態５）
図１７は、本発明の実施の形態５に係る通信端末装置１６００の構成を示すブロック図である。
【００８６】
本実施の形態５に係る通信端末装置１６００は、図２に示す実施の形態１に係る通信端末装置１００において、図１７に示すように、衝突情報抽出部１０９及び制御部１１３を除く。なお、図１７においては、図２と同一構成である部分には同一の符号を付してその説明は省略する。
【００８７】
ＦＦＴ部１０４は、ＧＩ除去部１０３から入力した受信信号をＦＦＴして復調部１０５とスケジューリング情報抽出部１０７と受信品質測定部１１０へ出力する。
【００８８】
スケジューリング情報抽出部１０７は、ＦＦＴ部１０４から入力した受信信号に含まれている、基地局装置にてサブキャリアブロック毎にリソースを割り当てる処理の結果の情報であるスケジューリング情報を抽出して選択部１０８及びソート部１１２へ出力する。
【００８９】
ＣＱＩ生成部１１１は、受信品質測定部１１０から入力した測定結果に基づいて、測定結果を示す情報であるＣＱＩを生成してソート部１１２へ出力する。この際、ＣＱＩ生成部１１１は、サブキャリアブロック毎にＣＱＩを生成する。
【００９０】
ソート部１１２は、ＣＱＩ生成部１１１から入力したＣＱＩを受信品質が良好なものから順番に並べるか、または受信品質が劣化しているものから順番に並べる。そして、ソート部１１２は、並べたＣＱＩを受信品質が良好な方から順番に、制御部１１３から指示された数だけ多重部１１４へ出力する。
【００９１】
次に、基地局装置１７００の構成について、図１８を用いて説明する。図１８は、基地局装置１７００の構成を示すブロック図である。
【００９２】
本実施の形態５に係る基地局装置１７００は、図３に示す実施の形態１に係る基地局装置２００において、図１８に示すように、衝突情報生成部２０９を除き、計算部１７０１及び制御部１７０２を追加する。なお、図１８においては、図３と同一構成である部分には同一の符号を付してその説明は省略する。
【００９３】
ＣＱＩ抽出部２０７は、誤り訂正復号部２０６から入力した受信信号からＣＱＩを抽出して、抽出したＣＱＩを衝突測定部２０８とスケジューリング部２１０と計算部１７０１へ出力する。
【００９４】
衝突測定部２０８は、ＣＱＩ抽出部２０７から入力したＣＱＩに基づいて衝突を測定する。具体的には、衝突測定部２０８は、各サブキャリアブロックについて、衝突の回数を
測定する。そして、衝突測定部２０８は、衝突の回数の測定結果を制御部１７０２へ出力する。
【００９５】
スケジューリング部２１０は、ＣＱＩ抽出部２０７から入力したＣＱＩに基づいてスケジューリングを行う。例えば、スケジューリング部２１０は、各サブキャリアブロックについて最も受信品質が良好なＣＱＩを送信してきた通信端末装置に割り当てるとともに、送信してきたＣＱＩに応じた符号化率及び変調方式の組み合わせのＭＣＳを選択する。そして、スケジューリング部２１０は、各通信端末装置に割り当てたサブキャリアブロックの情報及びＭＣＳをスケジューリング情報生成部２１１及び計算部１７０１へ出力する。
【００９６】
計算部１７０１は、ＣＱＩ抽出部２０７から入力したＣＱＩとスケジューリング部２１０から入力したスケジューリング情報とを比較して、比較結果を制御部１７０２へ出力する。
【００９７】
制御部１７０２は、衝突測定部２０８から入力した衝突の測定結果と計算部１７０１から入力した比較結果に基づいて、通信端末装置１６００が次のＴＴＩでＣＱＩを報告するサブキャリアブロック数を制御する。そして、制御部１７０２は、制御したサブキャリアブロック数の情報をスケジューリング情報生成部２１１へ出力する。
【００９８】
スケジューリング情報生成部２１１は、スケジューリング部２１０から入力した各通信端末装置に割り当てたサブキャリアブロックの情報及びＭＣＳと、制御部１７０２から入力したサブキャリアブロック数の情報とを含むスケジューリング情報を生成して多重部２１２へ出力する。
【００９９】
次に、通信端末装置１６００及び基地局装置１７００の動作について説明する。なお、シグナリング信号のフォーマットは図４と同一であり、ＣＱＩ報告制御情報のフォーマットは図５と同一であるので、その説明は省略する。
【０１００】
図１９は、基地局装置１７００及び通信端末装置１６００の動作を示す図である。なお、図１９において、横軸は時間を示すものであり、通信端末装置１６００−１及び通信端末装置１６００−２は、図１７の通信端末装置１６００と同一構成を有する。また、図１９では、２つの通信端末装置１６００が基地局装置１７００と通信する場合について記載しているが、通信端末装置１６００の数は任意の数にすることができる。
【０１０１】
通信端末装置１６００は、上り回線にて図４のシグナリング信号３００を送信し、基地局装置２００は、下り回線にて図５のＣＱＩ報告制御情報４００を送信する。これでサブキャリアブロック数を制御する前の初期報告の処理が終了する。なお、他の初期報告の処理は、上記実施の形態１と同一であるので、その説明は省略する。
【０１０２】
次に、初期報告後のＣＱＩを送信するサブキャリアブロック数を制御する際の動作について説明する。最初に、衝突が生じない場合の動作について説明する。
【０１０３】
初期報告の処理により、基地局装置１７００は、サブキャリアブロック数＃４０１にて、通信端末装置１６００−１、１６００−２に対して最低１つのサブキャリアブロックのＣＱＩを送信するように指示する。なお、基地局装置１７００は、サブキャリアブロック数＃４０１にて指示するＣＱＩの数は、１つに限らず、任意の数にすることができる。
【０１０４】
各通信端末装置１６００−１、１６００−２は、受信品質測定部１１０にて、各サブキャリアブロックの受信品質を測定し、ＣＱＩ生成部１１１にて、ＣＱＩを生成する。そして、通信端末装置１６００−１、１６００−２は、生成したＣＱＩの内、例えば最も受信
品質が良好なサブキャリアブロックのＣＱＩを１つ基地局装置１７００へ送信する（ステップＳＴ１８０１、ステップＳＴ１８０２）。なお、ＣＱＩのフォーマットは、図８と同一であるので、その説明は省略する。
【０１０５】
ＣＱＩを受信した基地局装置１７００は、スケジューリング部２１０におけるスケジューリングの結果、通信端末装置１６００−１、１６００−２にはサブキャリアブロックを割り当てない。従って、基地局装置１７００は、計算部１７０１にて、受信したＣＱＩのサブキャリアブロック数が「１」、及び実際に割り当てられたサブキャリアブロック数が「０」である比較結果を出力し、制御部１７０２にて、ＣＱＩを報告するサブキャリアブロック数を１つ増やして、２つのサブキャリアブロックのＣＱＩを送信することが決定され、スケジューリング情報生成部２１１にて、ＣＱＩを送信するサブキャリアブロック数が「２」である旨のサブキャリアブロック数の情報をスケジューリング情報とする。従って、基地局装置１７００は、サブキャリアブロックが割り当てられなかった情報とＣＱＩを報告するサブキャリアブロック数を「２」にするサブキャリアブロック数の情報を含むスケジューリング情報を送信する（ステップＳＴ１８０３、ステップＳＴ１８０４）。
【０１０６】
次に、各通信端末装置１６００−１、１６００−２は、受信品質測定部１１０にて、各サブキャリアブロックの受信品質を測定し、ＣＱＩ生成部１１１にて、ＣＱＩを生成する。そして、通信端末装置１６００−１、１６００−２は、生成したＣＱＩの内、スケジューリング情報にて指示された数の、例えば受信品質が良好な上位２つのサブキャリアブロックのＣＱＩを２つ基地局装置１７００へ送信する（ステップＳＴ１８０５、ステップＳＴ１８０６）。なお、ＣＱＩのフォーマットは、図８と同一であるので、その説明は省略する。
【０１０７】
次に、ＣＱＩを受信した基地局装置１７００は、スケジューリング部２１０におけるスケジューリングの結果、通信端末装置１６００−１、１６００−２にはサブキャリアブロックを割り当てない。従って、基地局装置１７００は、計算部１７０１にて、受信したＣＱＩのサブキャリアブロック数が「２」、及び実際に割り当てられたサブキャリアブロック数が「０」である比較結果を出力し、制御部１７０２にて、ＣＱＩを報告するサブキャリアブロック数をさらに１つ増やして、３つのサブキャリアブロックのＣＱＩを送信することが決定され、スケジューリング情報生成部２１１にて、ＣＱＩを送信するサブキャリアブロック数が「３」であるサブキャリアブロック数の情報をスケジューリング情報に含める。従って、基地局装置１７００は、サブキャリアブロックが割り当てられなかった情報とＣＱＩを報告するサブキャリアブロック数を「３」にするサブキャリアブロック数の情報を含むスケジューリング情報を送信する（ステップＳＴ１８０７、ステップＳＴ１８０８）。
【０１０８】
次に、各通信端末装置１６００−１、１６００−２は、受信品質測定部１１０にて、各サブキャリアブロックの受信品質を測定し、ＣＱＩ生成部１１１にて、ＣＱＩを生成する。そして、通信端末装置１６００−１、１６００−２は、生成したＣＱＩの内、スケジューリング情報にて指示された数の、例えば受信品質が良好な上位３つのサブキャリアブロックのＣＱＩを３つ基地局装置１７００へ送信する（ステップＳＴ１８０９、ステップＳＴ１８１０）。
【０１０９】
次に、ＣＱＩを受信した基地局装置１７００は、スケジューリング部２１０におけるスケジューリングの結果、通信端末装置１６００−１、１６００−２にはサブキャリアブロックを１つ割り当てる。従って、基地局装置１７００は、計算部１７０１にて、受信したＣＱＩのサブキャリアブロック数が「３」、及び実際に割り当てられたサブキャリアブロック数が「１」である比較結果を出力し、制御部１７０２にて、ＣＱＩを報告するサブキャリアブロック数を１つ減らして、２つのサブキャリアブロックのＣＱＩを送信すること
が決定され、スケジューリング情報生成部２１１にて、ＣＱＩを送信するサブキャリアブロック数が「２」であるサブキャリアブロック数の情報をスケジューリング情報に含める。従って、基地局装置１７００は、１つのサブキャリアブロックが割り当てられた情報とＣＱＩを報告するサブキャリアブロック数を「２」にするサブキャリアブロック数の情報を含むスケジューリング情報を送信する（ステップＳＴ１８１１、ステップＳＴ１８１２）。
【０１１０】
次に、各通信端末装置１６００−１、１６００−２は、受信品質測定部１１０にて、各サブキャリアブロックの受信品質を測定し、ＣＱＩ生成部１１１にて、ＣＱＩを生成する。そして、通信端末装置１６００−１、１６００−２は、生成したＣＱＩの内、スケジューリング情報にて指示された数の、例えば受信品質が良好な上位２つのサブキャリアブロックのＣＱＩを２つ基地局装置１７００へ送信する（ステップＳＴ１８１３、ステップＳＴ１８１４）。以後、通信端末装置１６００−１、１６００−２及び基地局装置１７００は同様の処理を繰り返すことにより、ＣＱＩを送信するサブキャリアブロック数を適応的に制御することができる。なお、増やすサブキャリアブロック数及び減らすサブキャリアブロック数は１つに限らず、任意の数のサブキャリアブロックを増やしたり減らしたりすることができる。また、増減させるサブキャリアブロック数を変化させても良い。
【０１１１】
次に、衝突が生じた場合における動作について、図１９を用いて説明する。例えば、ステップＳＴ１８０９及びステップＳＴ１８１０で報告したＣＱＩが、１つのサブキャリアブロックについて重複する場合には、基地局装置１７００は、衝突測定部２０８にて、衝突回数「１」の衝突が生じたことを検出する。そして、基地局装置１７００は、制御部１７０２にて、ＣＱＩを報告するサブキャリアブロック数を１つ増加することを決定する。次に、基地局装置１７００は、サブキャリアブロック数を１つ増加させて、サブキャリアブロック数が「４」であるサブキャリアブロック数の情報をスケジューリング情報に含めて送信する。次に、通信端末装置１６００−１、１６００−２は、スケジューリング情報抽出部１０７にて、スケジューリング情報を抽出し、ソート部１１２より、ＣＱＩを４つ出力する。これにより、各通信端末装置１６００−１、１６００−２は、ＣＱＩを４つ基地局装置１７００へ送信する（ステップＳＴ１８０９、ステップＳＴ１８１０）。ここで、ＣＱＩを報告するサブキャリアブロック数を制御する際に、基地局装置１７００は、制御部１７０２にて、衝突回数に加えて、比較回路８００における、受信したＣＱＩのサブキャリアブロック数と割り当てたサブキャリアブロック数との比較の結果をさらに考慮して、ＣＱＩを報告するサブキャリアブロック数を制御する。なお、基地局装置１７００は、衝突回数及び比較回路８００における比較結果の両方を考慮する場合に限らず、衝突回数及び比較回路８００における比較結果の何れか一方のみを考慮するようにしても良い。また、増やすサブキャリアブロック数及び減らすサブキャリアブロック数は１つに限らず、任意の数のサブキャリアブロックを増やしたり減らしたりすることができる。また、増減させるサブキャリアブロック数を変化させても良い。
【０１１２】
このように、本実施の形態５によれば、通信端末装置が報告したＣＱＩのサブキャリアブロック数と実際に割り当てられたサブキャリアブロック数との比較結果、または衝突情報に基づいて、通信端末装置が報告するＣＱＩのサブキャリアブロック数を制御することにより、受信品質の報告の無駄が生じることがなく、上り回線の干渉を抑制することができ、スケジューリングによる最適割り当てが可能であり、リソースの損失を防ぐことができるとともに、スケジューリングによる送信割り当ての公平性を保つことができる。
【０１１３】
なお、上記本実施の形態２〜実施の形態４において、ＣＱＩを送信するサブキャリアブロック数を基地局装置の制御部１７０２で制御するようにすれば、本実施の形態５を上記本実施の形態２〜実施の形態４に適用することができる。
【０１１４】
（実施の形態６）
図２０は、本発明の実施の形態６に係る比較回路１９００を示す図である。なお、本実施の形態６においては、通信端末装置の構成は図１７と同一であり、基地局装置の構成は図１８と同一であるので、その説明は省略する。
【０１１５】
基地局装置１７００は、制御部１１３にて、図２０の比較回路１９００を用いて、衝突及び受信したＣＱＩのサブキャリアブロック数に対するスケジューリングにより実際に割り当てたサブキャリアブロック数の比である割り当て率と、しきい値とを比較する。制御部１１３は、比較の結果、衝突または割り当て率が、しきい値未満である場合には、ＣＱＩを報告するサブキャリアブロック数を増やし、衝突または割り当て率がしきい値以上の場合には、ＣＱＩを報告するサブキャリアブロック数を減らすようにする。なお、通信端末装置及び基地局装置の動作は、上記実施の形態５と同一であるので、その説明は省略する。
【０１１６】
図２１は、基地局装置にて測定した各通信端末装置のＣＱＩを送信するサブキャリアブロックの衝突の状況を示す図である。図２１より、報告時刻（Ａ）は、同じ数値は同じ時刻であることを示す。また、報告サブキャリアブロック番号（Ｂ）は、各通信端末装置が基地局装置に報告したサブキャリアブロック番号であり、図２１の場合にはサブキャリアブロックは番号１から番号８まで全部で８個あることを示している。また、任意のサブキャリアブロックのＣＱＩ報告数（Ｃ）は、任意に選択した１つのサブキャリアブロックにおけるＣＱＩの報告数である。また、任意のサブキャリアブロックの衝突倍率（Ｄ）は、（Ｃ）と同一の数値になる。また、ＵＥ報告の分布（Ｅ）は、各サブキャリアブロックについて複数の通信端末装置が同時に報告する分布状況を示す。また、全ＵＥの数（Ｆ）は、セル内に存在する通信端末装置の数を示すものであり、図２１の場合には通信端末装置の数は１６である。ＵＥ別累積／瞬時割り当て率（Ｇ）は、各通信端末装置の累積割り当て率/瞬時割り当て率を示す。ＵＥ別の希望／実際ビットレート（Ｈ）は、各通信端末装置の希望ビットレート／実際に割り当てられたビットレートを表す。ＵＥ別の報告周波数範囲（Ｉ）は、各通信端末装置のＣＱＩの報告周波数範囲を示す。
【０１１７】
基地局装置１７００の制御部１７０２は、比較回路１９００にて、（Ｄ）としきい値とを比較して、（Ｄ）がしきい値未満であればＣＱＩを報告するサブキャリアブロック数を増やすように制御し、（Ｄ）がしきい値以上であればＣＱＩを報告するサブキャリアブロック数を減らすように制御する。
【０１１８】
このように、本実施の形態６によれば、割り当て率または衝突情報に基づいて、通信端末装置が報告するＣＱＩのサブキャリアブロック数を制御することにより、受信品質の報告の無駄が生じることがなく、上り回線の干渉を抑制することができ、スケジューリングによる最適割り当てが可能であり、リソースの損失を防ぐことができるとともに、スケジューリングによる送信割り当ての公平性を保つことができる。
【０１１９】
（実施の形態７）
図２２は、本発明の実施の形態７に係る通信端末装置２１００の構成を示すブロック図である。
【０１２０】
本実施の形態７に係る通信端末装置２１００は、図２に示す実施の形態１に係る通信端末装置１００において、図２２に示すように、ＯＮ／ＯＦＦ制御情報抽出部２１０１を追加する。なお、図２２においては、図２と同一構成である部分には同一の符号を付してその説明は省略する。
【０１２１】
ＦＦＴ部１０４は、ＧＩ除去部１０３から入力した受信信号をＦＦＴして復調部１０５
とスケジューリング情報抽出部１０７と衝突情報抽出部１０９と受信品質測定部１１０とＯＮ／ＯＦＦ制御情報抽出部２１０１へ出力する。
【０１２２】
ＯＮ／ＯＦＦ制御情報抽出部２１０１は、ＦＦＴ部１０４から入力した受信信号から、ＣＱＩの送信と非送信とを切り替えるための情報であるＯＮ／ＯＦＦ制御情報を抽出して制御部１１３へ出力する。
【０１２３】
制御部１１３は、ＣＱＩ生成部１１１から入力したＣＱＩを送信したサブキャリアブロックの数の情報と、衝突情報抽出部１０９から入力した衝突情報と、スケジューリング情報抽出部１０７から入力したスケジューリング情報とに基づいて、ソート部１１２に対してＣＱＩを出力するサブキャリアブロック数を指示する。また、制御部１１３は、ＯＮ／ＯＦＦ制御情報抽出部２１０１から、ＣＱＩの送信を停止するＯＮ／ＯＦＦ制御情報が入力した場合には、ソート部１１２に対して、指示したサブキャリアブロック数のＣＱＩの出力を停止するように指示する。また、制御部１１３は、ＯＮ／ＯＦＦ制御情報抽出部２１０１から、ＣＱＩの送信を再開するＯＮ／ＯＦＦ制御情報が入力した場合には、指示したサブキャリアブロック数のＣＱＩの出力を再開するように指示する。
【０１２４】
次に、基地局装置２２００の構成について、図２３を用いて説明する。図２３は、基地局装置２２００の構成を示すブロック図である。
【０１２５】
本実施の形態７に係る基地局装置２２００は、図３に示す実施の形態１に係る基地局装置２００において、図２３に示すように、端末数監視部２２０１及びＯＦ／ＯＦＦ制御情報生成部２２０２を追加する。なお、図２３においては、図３と同一構成である部分には同一の符号を付してその説明は省略する。
【０１２６】
誤り訂正復号部２０６は、復調部２０５から入力した受信信号に対して誤り訂正復号してＣＱＩ抽出部２０７及び端末数監視部２２０１へ出力するとともに、受信信号として出力する。
【０１２７】
端末数監視部２２０１は、誤り訂正復号部２０６から入力した受信信号より、所定のタイミングにて、現在通信している通信端末装置２１００の数を計測する。そして、端末数監視部２２０１は、計測している通信端末装置２１００の数がしきい値未満からしきい値以上になったことを検出した場合には、通信端末装置２１００の数がしきい値以上である旨の情報をＯＮ／ＯＦＦ制御情報生成部２２０２へ出力する。また、端末数監視部２２０１は、計測している通信端末装置２１００の数がしきい値以上からしきい値未満になったことを検出した場合には、通信端末装置２１００の数がしきい値未満である旨の情報をＯＮ／ＯＦＦ制御情報生成部２２０２へ出力する。
【０１２８】
ＯＮ／ＯＦＦ制御情報生成部２２０２は、通信端末装置２１００の数がしきい値以上になった情報が端末数監視部２２０１から入力した場合には、ＣＱＩの送信を停止するＯＮ／ＯＦＦ制御情報を生成して多重部２１２へ出力する。また、ＯＮ／ＯＦＦ制御情報生成部２２０２は、通信端末装置２１００の数がしきい値未満になった情報が端末数監視部２２０１から入力した場合には、ＣＱＩの送信を再開するＯＮ／ＯＦＦ制御情報を生成して多重部２１２へ出力する。
【０１２９】
多重部２１２は、送信信号とパイロット信号と衝突情報生成部２０９から入力した衝突情報とスケジューリング情報生成部２１１から入力したスケジューリング情報とＯＮ／ＯＦＦ制御情報生成部２２０２から入力したＯＮ／ＯＦＦ制御情報を多重して多重信号を生成し、生成した多重信号を誤り訂正符号化部２１３へ出力する。
【０１３０】
次に、通信端末装置２１００及び基地局装置２２００の動作について、図２４を用いて説明する。図２４は、各通信端末装置のＣＱＩ送信タイミングを示す図である。なお、通信端末装置２１００（ＵＥ１〜ＵＥ３）は、同一の基地局装置２２００と通信している。
【０１３１】
基地局装置２２００は、端末数監視部２２０１にて、通信中の通信端末装置の数がしきい値未満からしきい値以上になったことを検出した場合には、ＯＮ／ＯＦＦ制御情報生成部２２０２にて、時刻ｔ１において、通信端末装置２１００（ＵＥ２）及び通信端末装置２１００（ＵＥ３）のＣＱＩの送信を停止するＯＮ／ＯＦＦ制御情報を生成する。そして、基地局装置２２００は、ＯＮ／ＯＦＦ制御情報を送信する。ＯＮ／ＯＦＦ制御情報を受信した通信端末装置２１００（ＵＥ２）及び通信端末装置２１００（ＵＥ３）は、ＯＮ／ＯＦＦ制御情報抽出部２１０１にて、ＯＮ／ＯＦＦ制御情報を抽出し、制御部１１３にて、ソート部１１２に対して時刻ｔ１からＣＱＩの出力を停止するように指示する。これにより、通信端末装置２１００（ＵＥ２）及び通信端末装置２１００（ＵＥ３）は、時刻ｔ１からＣＱＩの送信を停止する。一方、通信端末装置２１００（ＵＥ１）は、ＯＮ／ＯＦＦ制御情報にてＣＱＩの送信停止を指示されていないため、ＣＱＩの送信を継続する。
【０１３２】
続いて、ＯＮ／ＯＦＦ制御情報生成部２２０２は、時刻ｔ２において、通信端末装置２１００（ＵＥ１）のＣＱＩの送信を停止するＯＮ／ＯＦＦ制御情報を生成するとともに、通信端末装置２１００（ＵＥ２）のＣＱＩの送信を再開するＯＮ／ＯＦＦ制御情報を生成する。そして、基地局装置２２００は、ＯＮ／ＯＦＦ制御情報を送信する。ＯＮ／ＯＦＦ制御情報を受信した通信端末装置２１００（ＵＥ１）及び通信端末装置２１００（ＵＥ２）は、ＯＮ／ＯＦＦ制御情報抽出部２１０１にて、ＯＮ／ＯＦＦ制御情報を抽出する。そして、通信端末装置２１００（ＵＥ１）は、制御部１１３にて、ソート部１１２に対して時刻ｔ２からＣＱＩの出力を停止するように指示する。また、通信端末装置２１００（ＵＥ２）は、制御部１１３にて、ソート部１１２に対して時刻ｔ２からのＣＱＩの出力を再開するように指示する。これにより、時刻ｔ２において、通信端末装置２１００（ＵＥ１）はＣＱＩの送信を停止し、通信端末装置２１００（ＵＥ２）はＣＱＩの送信を再開する。一方、通信端末装置２１００（ＵＥ３）は、ＯＮ／ＯＦＦ制御情報にてＣＱＩの送信再開を指示されていないため、ＣＱＩの送信の停止を継続する。以下、時刻ｔ３、ｔ４、ｔ５において、同様の動作を行う。
【０１３３】
このように、本実施の形態７によれば、上記実施の形態１の効果に加えて、通信端末装置の数が多い場合には、所定の数の通信端末装置からのＣＱＩの送信を停止するようにするので、ＣＱＩを送信した通信端末装置に対して、割り当てられる確率を高くすることができる。
【０１３４】
なお、本実施の形態７において、基地局装置が通信している通信端末装置の数に基づいてＯＮ／ＯＦＦ制御情報を生成したが、これに限らず、セル内のトラフィック状況、通信端末装置間のＣＱＩを送信したサブキャリアブロックの衝突状況、または割り当て率等に基づいてＯＮ／ＯＦＦ制御情報を生成するようにしても良い。
【０１３５】
上記実施の形態１〜実施の形態７において、通信端末装置ではソート部１１２によりＣＱＩを並べ替えるようにしたが、これに限らず、ソート部１１２を削除して、並べ替えずにＣＱＩ生成部１１１から多重部１１４へＣＱＩを出力するようにしても良い。この場合、ＣＱＩ生成部１１１は、任意の配列のＣＱＩの中で受信品質が良好なものから順番に出力するようにしても良いし、受信品質とは無関係に任意に選択したＣＱＩを順次出力するようにしても良い。また、上記実施の形態１〜実施の形態７において、通信端末装置が要求するＱｏＳと基地局装置にてリソースを割り当てられた結果のＱｏＳとの比較結果に基づいて、ＣＱＩを送信するサブキャリアブロック数を制御するようにしても良い。この場合、通信端末装置が要求したＱｏＳが満足された場合にはサブキャリアブロック数を減ら
し、通信端末装置が要求したＱｏＳが満足されなかった場合にはサブキャリアブロック数を増やす。また、上記実施の形態１〜実施の形態７において、通信端末装置がＣＱＩを用いて受信品質を報告したが、これに限らず、通信端末装置はＣＱＩ以外の任意の手段を用いて受信品質を報告することができる。
【０１３６】
また、上記実施の形態１〜実施の形態７において、基地局装置は、通信端末装置が送信したシグナリング信号３００に基づいて、初期報告時にＣＱＩ報告制御情報４００にて通信端末装置に対して指示したが、これに限らず、初期報告後にもシグナリング信号３００に基づいて、ＣＱＩ報告制御情報４００にて通信端末装置に対して指示するようにしても良い。この場合、基地局装置が各通信端末装置に対して、ＣＱＩを報告する周期、タイムオフセット、周波数範囲を直接指示し、基地局装置が、時間、周波数等の次元で通信端末装置が送信するＣＱＩを分散させることにより、上り回線におけるＣＱＩ報告効率を向上させることができるとともに上り回線の干渉低減を図ることができる。また、セル内の通信端末装置の数が多い場合において、基地局装置が全帯域幅を複数の部分に分割するとともに、通信端末装置を複数のグループに分割して、異なるグループの通信端末装置を異なる周波数範囲に予め分配することで、各通信端末装置のＣＱＩ送信時の衝突を抑制することができる。
【産業上の利用可能性】
【０１３７】
本発明にかかる通信端末装置、基地局装置及び受信品質報告方法は、特にマルチキャリア伝送方式において上り回線にて受信品質を報告するのに好適である。
【図面の簡単な説明】
【０１３８】
【図１】各サブキャリアの通信品質を示す図
【図２】本発明の実施の形態１に係る通信端末装置の構成を示すブロック図
【図３】本発明の実施の形態１に係る基地局装置の構成を示すブロック図
【図４】本発明の実施の形態１に係るシグナリング信号のフォーマットを示す図
【図５】本発明の実施の形態１に係るＣＱＩ報告制御情報のフォーマットを示す図
【図６】本発明の実施の形態１に係る通信端末装置と基地局装置との間の信号の送受信を示す図
【図７】本発明の実施の形態１に係る通信端末装置と基地局装置との動作を示す図
【図８】本発明の実施の形態１に係るＣＱＩのフォーマットを示す図
【図９】本発明の実施の形態１に係る比較回路を示す図
【図１０】本発明の実施の形態１に係るサブキャリアブロックを構成する方法を示す図
【図１１】本発明の実施の形態１に係るサブキャリアブロックを構成する方法を示す図
【図１２】本発明の実施の形態１に係るＣＱＩのフォーマットを示す図
【図１３】本発明の実施の形態２に係る比較回路を示す図
【図１４】本発明の実施の形態３に係る瞬時割り当て率及び累積割り当て率を示す図
【図１５】本発明の実施の形態４に係る各通信端末装置がＣＱＩを報告するサブキャリアブロックを示す図
【図１６】本発明の実施の形態４に係るＣＱＩのフォーマットを示す図
【図１７】本発明の実施の形態５に係る通信端末装置の構成を示すブロック図
【図１８】本発明の実施の形態５に係る基地局装置の構成を示すブロック図
【図１９】本発明の実施の形態５に係る通信端末装置と基地局装置との動作を示す図
【図２０】本発明の実施の形態６に係る比較回路を示す図
【図２１】本発明の実施の形態６に係るサブキャリアブロックにおける衝突を示す図
【図２２】本発明の実施の形態７に係る通信端末装置の構成を示すブロック図
【図２３】本発明の実施の形態７に係る基地局装置の構成を示すブロック図
【図２４】本発明の実施の形態７に係る各通信端末装置のＣＱＩ送信タイミングを示す図
【図１】
0004667462.tif 000002
【図２】
0004667462.tif 000003
【図３】
0004667462.tif 000004
【図４】
0004667462.tif 000005
【図５】
0004667462.tif 000006
【図６】
0004667462.tif 000007
【図７】
0004667462.tif 000008
【図８】
0004667462.tif 000009
【図９】
0004667462.tif 000010
【図１０】
0004667462.tif 000011
【図１１】
0004667462.tif 000012
【図１２】
0004667462.tif 000013
【図１３】
0004667462.tif 000014
【図１４】
0004667462.tif 000015
【図１５】
0004667462.tif 000016
【図１６】
0004667462.tif 000017
【図１７】
0004667462.tif 000018
【図１８】
0004667462.tif 000019
【図１９】
0004667462.tif 000020
【図２０】
0004667462.tif 000021
【図２１】
0004667462.tif 000022
【図２２】
0004667462.tif 000023
【図２３】
0004667462.tif 000024
【図２４】
0004667462.tif 000025